(57)【要約】【課題】前面保護板と表示パネルの間の空間を略密閉空間ではない開放された空間としたフラットパネル表示装置を提供すること。【解決手段】２枚の平板が対面する面がパネルの内部に画素を構成し、電気的駆動により各画素の駆動制御することで表示装置となるフラットパネル表示装置が、電源供給する電源部と駆動を制御する制御部を有し、パネルの表示面の前方に前面保護板を有するフラットパネル表示装置において、前記前面保護板がユーザ操作可能な前記前面板を開閉する開閉手段を有するとともに、前記前面板の開閉を検知する検知手段と前記検知手段が検出した前記全面保護板の開閉状況に応じ電力供給を制御する電力供給制御手段を有し、前記フラットパネル表示装置が駆動状態にある場合、前記検知手段が前記前面保護板の「開」を検知した時、前記電力供給制御手段がパネルへの電力供給を停止する。【選択図】図１
2006276191.tif 000002
【特許請求の範囲】
【請求項１】
少なくとも２枚の平板を組合わせてパネル化され、前記２枚の平板が対面する面が前記パネルの内部に画素を構成し、電気的駆動により各画素の駆動制御することで表示装置となるフラットパネル表示装置が、電源供給する電源部と駆動を制御する制御部を有し、更に前記パネルの表示面の前方に前面保護板を有するフラットパネル表示装置において、
前記前面保護板がユーザ操作可能な前記前面板を開閉する開閉手段を有するとともに、前記前面板の開閉を検知する検知手段と前記検知手段が検出した前記全面保護板の開閉状況に応じ電力供給を制御する電力供給制御手段を有し、前記フラットパネル表示装置が駆動状態にある場合、前記検知手段が前記前面保護板の「開」を検知した時、前記電力供給制御手段がパネルへの電力供給を停止することを特徴とするフラットパネル表示装置。
【請求項２】
前記フラットパネル表示装置が駆動状態にあって、前記検知手段が前記前面板の「開」を検知し前記パネルへの電源供給を停止している状態にある場合、前記検知手段が前記前面保護板の「閉」を検知した時、前記電力供給制御手段が前記パネルへの電源供給を再開することを特徴とする請求項１記載のフラットパネル表示装置。
【請求項３】
フラットパネル表示装置本体の電源がオフ若しくはスタンバイ状態にある場合、前記検知手段が「開」と「閉」のどちらを検知しても前記オフ若しくはスタンバイの状態を維持することを特徴とする請求項１又は２記載のフラットパネル表示装置。
【請求項４】
フラットパネル表示装置の表示デバイスであるところの前記パネルが、表示面と対になる側の平板に電子を放出する電子源と表示面側の前記平板に電子を加速する加速電圧を印加し、前記電子源から放出された電子が前記加速電圧により加速され前記表示面側のパネルに設けられた蛍光体に衝突することで発光する電子放出型表示パネルであって、前記電子放出型表示パネルの前記加速電圧を前記検知手段にの検知状態に応じて制御することを特徴とする請求項１〜３の何れかに記載のフラットパネル表示装置。
【請求項５】
フラットパネル表示装置の表示デバイスであるところの前記パネルの周辺部の１辺以上の辺に、表示駆動のための表示駆動回路部から表示信号を受けるためのパネル回路接続部と前記パネル回路接続部と前記表示駆動回路部とを接続する接続手段とを有し、前記接続手段の一方は前記パネルの前記パネル回路接続部と接続され、他方は前記教示駆動回路部に接続されるフラットパネル表示装置において、前記パネルのパネル回路接続部及び前記接続手段にユーザが直接触れないようにしてパネル回路接続部を保護するパネル回路部保護部材を設けたことを特徴とする請求項１〜４の何れかに記載のフラットパネル表示装置。
【請求項６】
表示デバイスであるところの前記パネルの表示面側前方に前記前面保護板と前記前面保護板が装着さ、れ前記フラットパネル表示装置の前面側外装筐体であるところのフロンとベゼルを有するフラットパネル表示装置において、前記前面保護板が「閉」状態にあるとき、前記フロントベゼルと前記前面保護板の間に空気流動可能な間隙を設けたことを特徴とする請求項１〜５の何れかに記載のフラットパネル表示装置。
【請求項７】
前記フラットパネル表示装置が前記フラットパネル表示装置の内部又は外部に記憶部と放送波を受信して前記フラットパネル表示装置に映像を表示するためのチューナー部及び信号処理部及び信号制御部と前記フラットパネル表示装置の前記検知手段が検知した検知信号を前記信号処理部に伝送する検知信号伝送手段とを有し、放送波により提供される番組を視聴中に、前記フラットパネル表示装置に設けられた前期前面保護板が使用者により操作されることで前記検知手段が「開」を検知した時、前記検知信号伝送手段により検知信号を前記信号処理部に伝送し、視聴中の番組を前記記憶部に自動的に録画することを特徴とする請求項１〜６何れかに記載のフラットパネル表示装置。
【発明の詳細な説明】
【技術分野】
【０００１】
本発明は、フラットパネル表示装置に関し、該フラットパネル表示装置の表示デバイスであるところの表示パネルの表示面側前方に該表示パネルを保護するための前面保護板を有するフラットパネル表示装置に関する。
【背景技術】
【０００２】
パソコンやテレビに用いられる表示装置は冷陰極線管（ブラウン管）を用いたものが多いが、液晶駆動により表示する液晶表示装置やプラズマ放電を利用したプラズマ表示装置（以下、「ＰＤＰ」と称する）等の表示面が平面であるフラットパネル表示装置が利用されることが多くなってきている。フラットパネル表示装置としては液晶表示装置やＰＤＰの他に各画素毎に電子源を配置して該電子源からの電子放出により表示画像を得る電子放出型表示装置も提案されている。
【０００３】
これらのフラットパネル表示装置は概ね以下のように構成される。
【０００４】
図６に簡単なブロック図を示す。
【０００５】
表示面が平面であってガラスを基材とした画像表示を実現する表示パネル１０１と該表示パネルの周囲に配置された該表示パネルを駆動するための駆動回路部１０２と該駆動回路部に電気的に接続され該駆動回路部に表示信号を出力する表示制御部１０３とそれらに電源を供給する表示装置電源部１０４と画像信号制御部１０５及びシステム全体を制御するシステム制御部１０６とシステムに電源を供給するシステム電源部１０７から成り、画像信号制御部１０５及びシステム制御部１０６はテレビ用途に該表示装置を用いる場合は放送波を受信するチューナー部やデコード部を含み外部から画像信号を入力し表示用データに変換するものである。
【０００６】
上記のように構成された該フラットパネル表示装置は、システム制御部１０６及び画像信号制御部１０５で外部入力された画像信号若しくは内部生成された画像信号を該フラットパネル表示装置が入力可能な表示データにして画像信号制御部１０５の出力部から表示制御部１０３へ出力する。
【０００７】
画像信号制御部１０５から出力された画像信号は表示制御部１０３の信号入力部から入力され表示制御部１０３で表示パネル１０１の表示に適した色情報、周波数等の表示パネル１０１の特性に合致する表示データに信号処理され、表示パネル１０１の周辺部に設けられた駆動回路部１０２に出力される。
【０００８】
駆動回路部１０２は図６から分かるように、Ｘ方向とＹ方向の最低２辺若しくは各辺に配置されＸとＹのマトリクスの交点に当たる画素を個々に駆動して発光させ画像を得ることが可能となる。
【０００９】
ＰＤＰや電子放出型表示デバイスの場合は該表示パネルの内部に設けられた蛍光体にプラズマ放電による紫外線や電子放出による電子の衝突により蛍光体が発光することで表示を得ている。
【００１０】
又、各画素はＲＧＢ（赤、緑、青）に分割されており、これらの発光を制御することでカラー画像を得ることが可能となっている。
【００１１】
又、画像を表示する表示周波数や飛び越し走査、順次走査等の該表示パネルの駆動方法は、該表示デバイスの特性や製品の製品の性格等により様々であり、それらの状況に合わせて該表示制御部が制御している。
【００１２】
更に、これらの構成部は構造部材であるところの内部構造体に機械的に固定されるとともに外装筐体内部に収められている。
【００１３】
又、該画像信号制御部やシステム制御部、システム電源部等は該フラットパネル表示装置内部に内蔵される場合もあるし、ＰＣやセットトップボックス（ＳＴＢ）として該フラットパネル表示装置の外部機器として構成される場合もある。
【発明の開示】
【発明が解決しようとする課題】
【００１４】
図７に従来のフラットパネル表示装置の概略断面図を示す。
【００１５】
図７において、１０１は表示デバイスであるところの表示パネル、１０８は前面側の外装筐体であるところのベゼル、１０９は表示パネル１の前面側に設けられる密閉スポンジ、１１０は表示パネル1 の周辺部に具備される表示パネル１０１内部の電気回路部端部と接続されるフレキシブルケーブル、１０２はフレキシブルケーブル１１０の表示パネルと反対側に電気的に接続され表示パネル1 ０１に表示信号を出力する駆動回路、１１１は表示パネル１０1 、ベゼル１０８、駆動回路１０２等の各構成部材を機械的に固定するための構造部材であるところの内部フレーム、１１２は表示パネル１０１の前面側に具備される前面保護板である。
【００１６】
その他、表示制御部、表示装置電源部、裏側外装ケース等の部材を具備しているがこれらは不図示としている。
【００１７】
表示パネル１０１は、ガラスを基材とする平面部材であるところの表面プレート１０１．１と裏面プレート１０１．２から成り、それぞれの対抗する面に放電や電子放出を行う回路部と蛍光体を具備し発光現象を得ている。又、表面プレート１０１．１と裏面プレート１０１．２の間は僅かな隙間を保っており、表面プレート１０１．１と裏面プレート１０１．２の間には不図示の隔壁や枠を設け、隙間を確保しつつ表示パネル内部の密閉を保ち、パネル駆動に必要な表示パネル内部の真空度を得ている。
【００１８】
表面プレート１０１．１と前面保護板１１２の間には画像表示領域を避けた部位に密閉スポンジ１０９が各辺に設けられており、又、ベゼル１０８に密着固定された前面保護板１１２は軟質部材である密閉スポンジ１０９を僅かに潰す位置にある。このようにすることで表面プレート１０１．１と前面保護板の間の画像表示領域より大きい領域で略密閉空間を作り出している。
【００１９】
この間を略密閉空間とする理由は、該フラットパネル表示装置を使用している間に該装置筐体の放熱孔等から内部に侵入した埃や塵が表示パネル１０１の画像表示領域に付着すること、輝度低下や表示ムラのような現象となるため表示性能が劣化したように見えることを避けるためである。
【００２０】
表示パネル１の表面プレート１０１．１と前面保護板１１２の間を略密閉空間とすることで、この空間と外側の空気流動が殆ど起きなくなるため、粒径数μｍ程度の非常に小さな粒径の塵や埃でも表示パネル１の表面プレート１０１．１の画像表示領域に到達しにくくなり、該表示デバイス本来の特性を長時間維持することが可能となる。
【００２１】
前面保護板１１２は、主に表示パネル１０１に対する外力等の外部からの影響を低減する目的で具備されている。
【００２２】
上述したように表示パネル１０１の内部は真空に近い状態であり大気圧が掛かっているために常に力を加えられている状態であり、これに更に外部からの力や衝撃等が加わりガラスを基材とする表示パネル１０１の破損等を招かないようにするためである。
【００２３】
前面保護板１１２には、又、該表示デバイスの発光色を補正する色補正機能、外部に漏れる不要な電磁波を低減するための電磁波シールド機能、表面反射を低減するための反射防止機能を有する場合が多い。
【００２４】
表示パネル１０１が画像表示を行う時、表示パネル１０１内部ではプラズマ放電や電子放出が起こっている。これらの現象を利用した発光現象により画像表示を行うのであるが、このような現象は画像表示を実現する光に変わるエネルギーと熱に変わるエネルギーがあり、熱に変わるエネルギーにより表示パネル１０１の温度上昇を招くことになる。特に、上述したように前面板１１２と表面プレート１０１．１の間は略密閉空間に構成されており、ここと外部との空気流動が行われないので該密閉空間は他の部位よりも放熱しにくく更に大きな温度上昇を招くことになる。
【００２５】
表示デバイスの表示特性に影響を与える要因の１つとして該表示デバイスの温度特性がある。該温度特性が上記温度上昇に対して十分な余裕があれば良いが、そうでない場合は表示パネル１０１の温度上昇を如何に抑えることができるかということが課題となる。
【００２６】
又、フラットパネル表示装置の使用温度範囲を拡大したい場合にも同様のことが課題となり、埃や塵の問題との両立も求められる。
【００２７】
本発明は上述事情を鑑みてなされたもので、フラットパネル表示装置の前記前面保護板をユーザーの操作可能な開閉手段と、前記前面保護板の開閉状態を検知する検知手段とパネルへの電力供給を制御する電力制御手段を設け且つ前面保護板と表示パネルの間の空間を略密閉空間ではない開放された空間としたことを特徴とするフラットパネル表示装置を提供することにある。
【課題を解決するための手段】
【００２８】
上記目的を達成するため、少なくとも２枚の平板を組合わせてパネル化され、前記２枚の平板が対面する面が前記パネルの内部に画素を構成し、電気的駆動により各画素の駆動制御することで表示装置となるフラットパネル表示装置が、電源供給する電源部と駆動を制御する制御部を有し、更に前記パネルの表示面の前方に前面保護板を有するフラットパネル表示装置において、
前記前面保護板がユーザ操作可能な前記前面板を開閉する開閉手段を有するとともに、前記前面板の開閉を検知する検知手段と前記検知手段が検出した前記全面保護板の開閉状況に応じ電力供給を制御する電力供給制御手段を有し、前記フラットパネル表示装置が駆動状態にある場合、前記検知手段が前記前面保護板の「開」を検知した時、前記電力供給制御手段がパネルへの電力供給を停止することを特徴とする。
【００２９】
又、ユーザーが前記前面保護板を開けた時誤って表示パネルのフレキブルケーブル及び表示パネルの回路接続部と触れないように保護するための保護部材を設けたことを特徴とする。
【００３０】
更に、前記フロンとベゼルと前記前面保護板の間に空気流動可能な間隙を設けたことを特徴とする。
【００３１】
又、前記検知手段による検知状態をシステム制御部に伝送する検知信号伝送手段を設けたことを特徴とする。
【発明の効果】
【００３２】
本発明によれば、前面保護板を開閉可能にする開閉手段と前記前面保護板の開閉を検知する検知手段及び検知手段が検知した検知情報により応じて表示パネルへの供給電力を制御するパネル電力制御手段を備えることにより、使用者が使用者自身の操作で前記前面保護板の開閉を行うことを可能にすることで使用者自身で前記表示パネルや前記前面保護板の汚れの除去を行うことを可能にし、且つ、この操作が行われたとき自動的に表示パネルへの供給電力を遮断することにより使用者が安全に汚れ等の除去作業を行うことができるという効果がある。
【００３３】
又、表示パネル以外の内部の電気回路部分は動作可能としているので、前記前面保護板の閉を検知したとき、システム立上げ情報の読み込み等に時間をかけることなくスムーズな画像表示を再開可能であるという効果がある。
【００３４】
更に、使用者が表示パネル等の汚れを除去可能となるので、塵や埃の表示面への侵入を防ぐために前面保護板と表示パネル表面の間を略密閉空間とする必要がなくなり、その間は開放されフラットパネル表示装置内での空気流動が可能となり、略密閉空間とすることで招いていた不要な表示パネルの温度上昇を低減することが可能となり、表示デバイスに掛かる温度的な負担を抑制できるので、表示デバイスの駆動に余裕が出来、使用温度範囲の拡大や輝度向上のための電力供給の拡大を見込め表示性能を向上させるという効果がある。
【００３５】
又、前面保護板とフロントベゼルの間に空気流動可能な構成とすることでフラットパネル表示装置内部の空気流動より効果の高い外気の空気流動可能な部位に表示デバイスの表示面を置くことが可能であり、より一層の温度上昇抑制効果が得られるだけでなく、パネル回路部保護部材とフロントベゼルを１つの部品とすることが可能であり、コスト低減できるという効果がある。
【００３６】
更に、テレビ視聴の場合に前記前面板の開閉検知情報をシステム制御部にも伝送し、記憶媒体への録画制御に用い、且つ、前面板開時の視聴中番組を自動録画することで、大切なシーンを見逃してしまうというようなことを回避可能になるという効果がある。
【発明を実施するための最良の形態】
【００３７】
以下に本発明の実施の形態を添付図面に基づいて説明する。
【００３８】
＜実施の形態１＞
図１は本発明を適用可能なフラットパネル表示装置をテレビとして利用する場合のテレビ装置の外観図である。
【００３９】
図１において、１は薄型表示装置であるところのプラズマディスプレイであり、対角４２インチの表示部分１．１とリモコン受光部１．２、主電源スイッチ１．３等を備え、音声出力用に左右に１個ずつのスピーカ２と本テレビ装置をシステムとして制御するＳＴＢ３及びユーザがテレビ装置の動作を遠隔操作するためのリモートコントローラ４とから成り、表示装置１とＳＴＢ３はケーブル５により電気的に接続されている。
【００４０】
ＳＴＢ３には不図示のアンテナが接続されるとともに、放送受信用のチューナ部、デコーダ部、画像及び音声処理部を備えテレビ装置全体を制御するとともに、画像データと音声データを生成し、フラットパネル表示装置１及びスピーカ２へ出力し、画像表示及び音声出力を得る。
【００４１】
リモコン４は赤外線を用いたものであり、信号受信はできない片方向の赤外線信号送信装置である。表示装置１は、リモコン受光部１．２を備え、リモコン４から赤外線送信された信号を受光するが受光した信号は、ここで電気信号に変換されケーブル５を介してＳＴＢ３に伝送され、表示装置１に受光した信号に対応する出力を行う。ＳＴＢ３は、表示装置１と電気的に接続される他、ビデオやＤＶＤ等とも接続可能な複数の外部入出力端子とインターネットや電話回線と接続するための外部通信用端子備えている。更に、記録媒体として容量８０ＧＢのハードディスク装置（ＨＤＤ）を内蔵する。
【００４２】
図２は本発明を適用したフラットパネル表示装置である。
【００４３】
図２において、６は前面側外装筐体であるところのフロントベゼル、７は前面保護板、８は検知手段であるところのフロントベゼルの面６．１から開状態で凸となっている検知スイッチ、９は内部のグランドと前面板のグランドを接続するための導電部材、１０は表示デバイスであるところのＰＤＰパネル、１１は前面板７が閉の状態を保つためのマグネットキャッチである。
【００４４】
検知スイッチ８は、自由状態では上述したように凸状態であり押すことが可能であり、凸の状態では前面保護板７の開状態を検知し、前面保護板７が閉の状態では検知スイッチ８が前面保護板７により押されフロントベゼル６の面６．１と略同面位置まで押し込まれ前保護板７の閉を検知する。
【００４５】
前面保護板７は、フロントベゼル６に回動可能に支持され、後述する回動支持手段により約９０°開くことが可能となっており、図２は前面保護板７が開く途中段階の図となっている。この状態で、既に検知スイッチ８は自由状態であるから検知手段は前面保護板７の開を検知している状態である。
【００４６】
前面保護板７の厚さ３．５ｍｍのガラスであって表裏に反射防止処理であるところのアンチリフレクションコーティングと裏面側には更に表面導電性を得るための導電性コーティングが施され、不要な電磁波等が放出されるのを抑制している。前面保護板７の導電コーティング部は、前面保護板７が閉の状態でスポンジ状で弾性のある導電部材９を僅かに潰すように接触することで導電部材９を介して装置のグランドと電気的に接続されている。
【００４７】
図２のフラットパネル表示装置の内部には不図示の表示を制御する表示制御部と駆動回路部、検知スイッチ８の状態を監視し検知状態に応じてフラットパネル表示装置の電源供給を制御可能な表示装置電源部等の電気回路を内蔵している。
【００４８】
又、前記表示装置電源部は表示パネル１０へ供給する電源のみの制御も可能であり、検知スイッチ８が前面保護板７の閉を検知している状態では表示パネル１０への電力供給を維持し、開を検知している間は表示パネル１０への電力供給を遮断する。
【００４９】
又、表示パネル１０への電力供給は遮断されるがフラットパネル表示装置のその他の電気回路部への電力は供給された状態を維持すると共に検知スイッチ８の検知状態の監視を継続し、前面保護板７が開状態から閉状態へ移行したとき再び表示パネル１０への電力供給を再開する。
【００５０】
表示パネル１０へ電力が供給されない状態ではパネル駆動が不可能であり、画像表示は行えず消えた状態であることは言うまでもないが、上記のような電力再投入となった場合は表示パネル１０に電力を供給するだけで画像表示の再開が可能であり、システム情報の読み込み等に時間を掛けることなく画像表示のスムーズな再開が可能である。
【００５１】
図３に図２の前面保護板７が閉じた状態での回動手段及び検知スイッチ８を含む横断面図を示す。
【００５２】
図３において、１２，１３は前面保護板７の両端に設けられた前面保護板７を保持する保護板保持部材でコの字型形状をしており、鉄にニッケルメッキを施したものである。図のように前面保護板７と保護板保持部材１２，１３には数ヶ所固定のための穴が空いており、皿ネジ１４で固定されている。
【００５３】
図中左右保護板保持部材のうち左側保護板保持部材１３の上下部分にはヒンジ１３．１を設けてあり、他端をフロントベゼル６にネジ固定している。ヒンジ部１３．１を有することで前面保護板７は回転動作可能となった。
【００５４】
前面保護板７が閉じた状態では検知スイッチ８のスイッチノブ８．１は押し込まれた状態にあり、閉状態を検知している。
【００５５】
１５は金属製のパネル回路部保護部材であり、弾性を有する導電部材９が圧縮される形でパネル回路保護部材１５と圧接している。導電部材９は、フロントベゼル６に嵌合固定され、一方は上述したようにパネル回路保護部材１５と圧接し、他方は保護板保持部材と圧接している。又、保護板保持部材は前面保護板７を固定しており、前面保護板７に施された導電性膜と接しているので電気的接続が得られ一体的なグランドとしている。
【００５６】
装置中央部の横断面をとった場合図３右側の検知スイッチ８の部位にマグネットキャッチ１１を具備している。保護板保持部材１２は鉄であるので、前面保護板７が閉の状態ではマグネットキャッチ１１の作用により外力が加えられなければ閉状態を維持する。前面保護板７を開ける場合はフロントベゼル６の指逃げ部６．２のところから指を入れ前面保護板７を引き上げることで使用者は前面保護板７を開けることが可能となる。
【００５７】
図４はパネル回路保持部材１５の固定方法を説明する図であって１８は裏側に必要な電気回路部を固定可能な構造部材であるところのフレームである。
【００５８】
表示パネル１０の裏面とフレーム１８の表面は接着固定される。フレキシブルケーブル１６は、フレーム１８に設けられた穴部１８．１を通り裏側の駆動回路１７とコネクタにより結合されている。表示パネル１０の表示領域より大きな開口部を持つパネル回路保護部材１５は図のように数箇所に舌片が設けられフレーム１８はその対応する位置にタップ１８．２が設けられ側面からネジ固定している。
【００５９】
以上説明したように、前面保護板７が開の状態では表示パネル１０への電力供給が遮断され且つ表示パネル１０の周辺部のフレキシブルケーブル１６やその接続部は、パネル回路保護部材１５により保護され、使用者はそこに触れることができないので、高い安全性を維持しつつ使用者は使用者自身の操作により前面保護板７の開閉を行うことが可能であり、表示パネル１０の表面や前面保護板７の裏面に付着した塵や埃を除去可能となった。
【００６０】
又、前面保護板７を閉状態に戻したときは待ち時間を必要とすることなくスムーズに画像表示に戻ることが可能となる。
【００６１】
以上説明してきた構成は本実施の形態のものに限定されることはなく、例えば、検知スイッチとして２本の電極をフロントベゼル６上に形成して前面保護板７が閉状態でその部分が短絡されるように構成することも可能であり、回動による前面保護板の開閉を回動によらずスライド動作や取り外す構造としても同等である。
【００６２】
又、本実施の形態ではＰＤＰを例に説明したが、表示の駆動に高電圧の電子加速電圧を用いる電子放出型表示デバイスの場合は表示パネルへの供給電力ではなく高電圧の印加を遮断するという制御としても良い。
【００６３】
又、検知スイッチが前面保護板の閉を検知していてもメイン電源スイッチがオフの場合はそちらのスイッチ状態が優先され表示パネルに電力供給が行われないことは述べるまでもない。
【００６４】
＜実施の形態２＞
次に、本発明の実施の形態２について説明する。
【００６５】
本実施の形態は前面保護板と外装筐体のフロントベゼルの間に空気流動可能な間隙を設けたことを特徴とする。
【００６６】
図５にその断面図を示す。符号は実施の形態１と共用可能なものは同じ符号を用いる。
【００６７】
１９は実施の形態１で説明した検知スイッチ、導電部材、マグネットラッチ等でこの辺の必要な場所に点在している部材群で図的には簡略化してあると。２０は導電部材で１９部材群が配置される辺の残りの３辺の適当な場所に点在している。２１は実施の形態１で言うところのフロントベゼルとパネル回路保護部材を統合した本実施の形態におけるフロントベゼルであり、ＳＵＳの板材を加工したものであって外観部品としている。
【００６８】
２２は裏側ケースであり、フロントベゼル２１と一体感が得られるように固定されている。尚、本図では内部のフレームや電気回路部等の図は省略している。
【００６９】
本例の外観的特長は前面保護板７を、前面保護板７を除くフラットパネル表示装置本体より一回り大型化し前面保護板をオーバーハングさせていることにある。
【００７０】
視聴者の正面側から見れば裏側に当たる前記フラットパネル表示装置本体は隠れて見えなくなるので、前面保護板のみが見える外観となる。
【００７１】
オーバーハングした前面保護板保護板を保持する左側保護板保持部材１３は、前例と同様に前面板を回動可能にするヒンジ部を設けてあるが、このヒンジ部はフロントベゼル２１の外側側面にネジ固定されている。回動支軸が前記フラットパネル表示装置本体より外側にあるので、回動動作を妨げるものは殆どなく、比較的大きな回転角を得ることが可能である。又、視覚的にも前面保護板の裏側にあるので見えにくい場所となっている。
【００７２】
部材群１９及び導電部材２０は、各辺に点在しており、部材群１９及び導電部材２０が存在しない各辺の殆どの部分は保護板取付部材とフロントベゼルの間にａの間隙を有する。本実施の形態では、ａを３ｍｍとしている。この間隙ａの間を空気は自由に流動することができ、表示パネル１０の表面は外気に接しているのと同等の状態とすることが可能となった。
【００７３】
＜実施の形態３＞
本実施の形態はテレビシステム関するものである。
【００７４】
実施の形態１で説明したように、テレビ装置にはＳＴＢに記憶媒体としてＨＤＤを搭載していおり、録画可能になっている。
【００７５】
本実施の形態では、検知スイッチが検知した検知情報をフラットパネル表示装置内のフラットパネル表示装置の電源供給を制御する表示装置電源部に伝送するとともに、前記ケーブル５を経由してＳＴＢ内のシステム制御部にも伝送される。
【００７６】
表示画像の画像ソースがＰＣやＤＶＤ等であれば、再生、一時停止等は使用者の意思により自由に行うことができるが、放送番組の場合はそれを止めることはできない。放送番組視聴中に例えばコマーシャルの間に使用者が表示面の汚れを除去するため、前面保護板を開けた場合でもその間表示画像は消えることになる。思わぬ時間を取ってしまい見たいシーンを見逃してしまうことも考えられる。このような状況に対応するため放送番組視聴中に前記システム制御部に検知部から前面板開の情報が伝送された場合前記システム制御部は記憶部である前記ＨＤＤにそれまで見ていた番組の録画を開始するようにしたものである。
【００７７】
又、前面保護板の閉を検知した場合上述録画を停止するように制御する。録画の停止は或る程度タイムラグを持たせても良い。このようにすることで大事なシーンを見逃してしまうことを低減することが可能になる。
【図面の簡単な説明】
【００７８】
【図１】本発明が適用可能なデジタルテレビ装置である。
【図２】本発明を適用したフラットパネル表示装置である。
【図３】図２の断面図である。
【図４】部材の固定を説明する図である。
【図５】本発明の実施の形態の断面図である。
【図６】従来例を説明するブロック図である。
【図７】従来例を説明する断面図である。
【符号の説明】
【００７９】
１          デジタルテレビ装置
２          スピーカ
３          コントローラ
４          リモコン
５          ケーブル
６          フロントベゼル
７          前面保護板
８          検知スイッチ
９          導電部材
１０        表示パネル
１１        マグネットラッチ
１２，１３  保護板保持部材
１４        ネジ
１５        パネル回路部保護部材  
１６        フレキシブルケーブル
１７        駆動回路部
１８        フレーム
【図１】
2006276191.tif 000003
【図２】
2006276191.tif 000004
【図３】
2006276191.tif 000005
【図４】
2006276191.tif 000006
【図５】
2006276191.tif 000007
【図６】
2006276191.tif 000008
【図７】
2006276191.tif 000009